(57)【要約】【課題】超磁歪素子の伸縮振動によって発生する音漏れを効果的に防止した音響放射装置用電磁変換装置を提供する。【解決手段】電磁変換部１は、緩衝部材３を介して把手２に接合されている。電磁変換部１を外部振動体に押し付けていない場合、つまり、音響を発生させていない場合、電磁変換部１側の隔壁１９と把手２側の隔壁２９は、緩衝部材３が隙間を形成しているから、互いに接触しない。また、超磁歪素子１５１，１５２が発する伸縮振動は、把手２と電磁変換部１とが緩衝部材３を介して接合され、さらに緩衝部材３が有機質なので、効果的に吸収される。したがって、伸縮振動がカバー８から第２の外装体２１に伝達することを好適に抑制することができるから、音漏れを効果的に防止することができる。【選択図】図３
2009159035.tif 000002
【特許請求の範囲】
【請求項１】
電磁変換部と、把手と、緩衝部材とを含む音響放射装置用電磁変換装置であって、
前記電磁変換部は、外装体と、コイルと、超磁歪素子と、伸縮伝達部材と、永久磁石と、第１の隔壁とを含み、
前記外装体は、内部空間を有しており、
前記コイル、前記超磁歪素子、前記伸縮伝達部材、前記永久磁石は、前記外装体の前記内部空間内に収納されており、
前記コイルは、外部から供給される信号によって励振され、この励振に基づいて、前記超磁歪素子に交番磁界を印加するものであり、
前記伸縮伝達部材は、一端側が前記超磁歪素子の第１端に連なり、他端側が前記外装体の先端部に設けられた開口を通して外部に露出しており、
前記永久磁石は、前記超磁歪素子に磁気バイアスを印加するものであって、前記超磁歪素子の前記第１端側に配置された第１の永久磁石と、前記超磁歪素子の第２端側に配置された第２の永久磁石とを含んでおり、
前記第１の隔壁は、前記超磁歪素子の前記第２端に連なり、前記外装体の前記内部空間を前記把手から隔てるように前記外装体に固定されており、
前記把手は、
前記第１の隔壁と対向するように配置された第２の隔壁を含み、前記緩衝部材を介して前記電磁変換部と接合され、
前記緩衝部材は、有機質の弾性材料で構成され、前記電磁変換部と前記把手の間に設けられて前記第１の隔壁と前記第２の隔壁との間に隙間を形成する、
音響放射装置用電磁変換装置。
【請求項２】
請求項１に記載された音響放射装置用電磁変換装置であって、
前記把手から前記電磁変換部に向かって押圧したとき、前記緩衝部材が圧縮されて前記第１の隔壁と前記第２の隔壁が互いに当接する、
音響放射装置用電磁変換装置。
【請求項３】
請求項１又は２に記載された音響放射装置用電磁変換装置であって、
前記把手は、内部空間を有しており、
この内部空間には、前記信号を、前記コイルに供給するに先立って増幅する信号増幅部が収納されている、
音響放射装置用電磁変換装置。
【請求項４】
請求項１乃至３の何れかに記載された音響放射装置用電磁変換装置であって、
前記電磁変換部は、さらに与圧部材を含み、
前記与圧部材は、弾性材料で構成され、前記伸縮伝達部材を前記第２の外装体の前記先端部の方向へ付勢するとともに、前記超磁歪素子を前記第２の隔壁の方向へ付勢し、
前記伸縮伝達部材は、前記一端側が、前記与圧部材を介して前記超磁歪素子の前記第１端に連なり、前記他端側から押圧されたとき、前記与圧部材が圧縮されることによって、直接的に前記超磁歪素子の前記第１端に連なる、
音響放射装置用電磁変換装置。
【発明の詳細な説明】
【技術分野】
【０００１】
本発明は、超磁歪素子を用いた音響放射装置用電磁変換装置に関する。
【背景技術】
【０００２】
超磁歪素子は、印加する磁界が強くなるにしたがって伸張する性質を有する素子である。超磁歪素子は様々な産業分野の製品で利用されているが、その一つに音響放射装置用の電磁変換装置がある。
【０００３】
電磁変換装置は、コイルに供給された信号に基づき超磁歪素子に伸縮振動を生じさせ、超磁歪素子の伸縮端に直接的または間接的に接触される伝達部材を、外部振動体に押し付けるなどにより、伸縮振動を外部振動体に伝えるものである。例えば、特許文献１では、主に音響特性を改善した音響放射装置用の電磁変換装置が開示されている。
【０００４】
音響放射装置は、上記の外部振動体が信号に基づいて振動することで音響を発生するものである。外部振動体としては、特に制限はなく、金属、ガラス、木、合成樹脂又はそれらの組み合わせ材料を用いて構成することができる。また、その形状も、平板状、ブロック状など、任意でよい。具体例としては、野外広告板、屋内広告板、自動車のガラス窓、テーブル、テレビ外箱などがある。
【０００５】
効果的に音響を発生させるためには、電磁変換装置をしっかりと外部振動体に押し付ける必要がある。よって、これを人の手で行なおうとする場合、電磁変換装置に把手を設けなければならない。
【０００６】
しかしながら、電磁変換装置で発生する伸縮振動が把手に伝達され、これを振動させることにより音漏れが発生してしまう。この音漏れは、電磁変換装置を外部振動体に押し付けて音響を発生させている場合には、音量の差によってかき消されるから問題とはならないが、そうでない場合には、不要な音であるから問題となる。
【特許文献１】特開２００７−１５８９１１号公報
【発明の開示】
【発明が解決しようとする課題】
【０００７】
本発明の課題は、超磁歪素子の伸縮振動によって発生する音漏れを効果的に防止した音響放射装置用電磁変換装置を提供することである。
【課題を解決するための手段】
【０００８】
上述した課題を解決するため、本発明に係る音響放射装置用電磁変換装置は、電磁変換部と、把手と、緩衝部材とを含む。前記電磁変換部は、外装体と、コイルと、超磁歪素子と、伸縮伝達部材と、永久磁石と、第１の隔壁とを含む。前記外装体は、内部空間を有しており、前記コイル、前記超磁歪素子、前記伸縮伝達部材、前記永久磁石は、前記外装体の前記内部空間内に収納されている。
【０００９】
前記コイルは、外部から供給される信号によって励振され、この励振に基づいて、前記超磁歪素子に交番磁界を印加する。前記伸縮伝達部材は、一端側が前記超磁歪素子の第１端に連なり、他端側が前記外装体の先端部に設けられた開口を通して外部に露出している。
【００１０】
前記永久磁石は、前記超磁歪素子に磁気バイアスを印加するものであって、前記超磁歪素子の前記第１端側に配置された第１の永久磁石と、前記超磁歪素子の第２端側に配置された第２の永久磁石とを含んでいる。
【００１１】
この構成によれば、第１の永久磁石と第２の永久磁石の全体表面磁束を互いに異ならせることで、音響歪を減少させて音質を向上することができる。
【００１２】
前記第１の隔壁は、前記超磁歪素子の前記第２端に連なり、前記外装体の前記内部空間を前記把手から隔てるように前記外装体に固定されている。
【００１３】
これまで述べた構成は従来技術に見られるが、本発明の特徴的部分は、次に述べる把手が電磁変換部とは別個の部材として設けられていることに加えて、緩衝部材を設けたことにある。すなわち、前記把手は、前記第１の隔壁と対向するように配置された第２の隔壁を含み、前記緩衝部材を介して前記電磁変換部と接合されている。また、前記緩衝部材は、有機質の弾性材料で構成され、前記電磁変換部と前記把手の間に設けられて前記第１の隔壁と前記第２の隔壁との間に隙間を形成する。
【００１４】
この構成によれば、前記電磁変換部を外部振動体に押し付けていない場合、つまり、音響を発生させていない場合、前記第１の隔壁と前記第２の隔壁は、前記緩衝部材が隙間を形成しているから、互いに接触しない。また、前記超磁歪素子が発する伸縮振動は、前記把手と前記電磁変換部とが前記緩衝部材を介して接合され、さらに前記緩衝部材が有機質なので、効果的に吸収される。したがって、伸縮振動が前記外装体から前記把手に伝達することを好適に抑制することができるから、音漏れを効果的に防止することができる。
【００１５】
一方、前記電磁変換部を外部振動体に押し付けて音響を発生させる場合、前記緩衝部材が圧力により圧縮され、仮に前記第１の隔壁と前記第２の隔壁が互いに接触して音漏れが発生しても、上述したように音響によってかき消されるため問題とならない。さらに、前記緩衝部材は、弾性材料なので弾性力によって前記把手から前記電磁変換部へ圧力を伝達するから、前記伸縮伝達部材が外部振動体にしっかり押し付けられて、好適に音響を発生させることができる。
【発明の効果】
【００１６】
以上述べたように、本発明によれば、超磁歪素子の伸縮振動によって発生する音漏れを効果的に防止した音響放射装置用電磁変換装置を提供することができる。
【発明を実施するための最良の形態】
【００１７】
図１は、本発明に係る音響放射装置用電磁変換装置の分解時の側面図である。音響放射装置用電磁変換装置は、電磁変換部１と、把手２と、緩衝部材３とを含み、さらに、カバー部材４と接合部材５とを含む。
【００１８】
電磁変換部１は外部から供給される信号により超磁歪素子を伸縮振動させて伸縮伝達部材１１を介して外部振動体を振動させるものである。電磁変換部１は、略円筒形状をなし、その先端からは伸縮伝達部材１１が突出している。また、上記の信号には、音声帯域をはじめ、可聴周波数帯域全体が含まれる。
【００１９】
把手２は、緩衝部材３を介して電磁変換部１と接合される。把手２は、手で持ち易いように中央部がくびれた略円筒形状をなし、その先端側の外周には、螺子溝が形成された固定部２２が設けられている。この螺子溝は、接合部材５の第２の内周面５２に形成された螺子溝と螺合する。
【００２０】
カバー部材４は、電磁変換部１を覆うものである。よって、電磁変換部１内部は、電磁変換部１の外装体８（図３の符号８参照）とカバー部材４とで二重に覆われているから、電磁変換部１の内部からの音漏れが減少する。
【００２１】
カバー部材４は、略円筒形状をなし、電磁変換部１の形状に合わせるように形成された嵌入孔４１を有する。嵌入孔４１は、先端のほうが細くなっており、先端の開口からは伸縮伝達部材１１が露出して、外部振動体に押し付けられるようになっている。また、カバー部材４の後端には、外径が他の部分よりも大きい帯部４２が形成されている。
【００２２】
接合部材５は、電磁変換部１と把手２を接合するものである。接合部材５は、略円環形状をなし、その内部には、先端側の内周面より径が大きい第１の内周面５１と、第１の内周面５１よりもさらに径の大きい第２の内周面５２を有する。第１の内周面５１の径は、カバー部材４の帯部４２の径と略同一である。また、第２の内周面５２には、上述したように、把手２の固定部２２と螺合する螺子溝が形成されている。
【００２３】
図２は、音響放射装置用電磁変換装置の側面図である。電磁変換部１は、カバー部材４の嵌入孔４１に嵌入され、さらに、カバー部材４は、帯部４２が第１の内周面５１と一致するところまで、接合部材５の開口に挿通されている。また、第２の内周面５２は、把手２の固定部２２と螺合している。接合部材５の開口と、カバー部材４の嵌入孔４１は、何れも先端の方が細くなっているから、電磁変換部１は、これらと組み合わされることによって、緩衝部材３を介して把手２に接合される。
【００２４】
次に把手２の詳細について述べる。把手２は、本体であるカバー２１と、先端側に固定された隔壁２９と、後端側に螺子溝などの手段で取り付けられた蓋２３とを含む。カバー２１は、内部空間を有しており、信号増幅部２７とオーディオジャック２６が実装された回路基板２８と、電池収納室２４が収納されている。
【００２５】
オーディオジャック２６の入力端子は、カバー２１に設けられた開口２５から外部に露出しており、市販のオーディオケーブルを介してＣＤプレイヤーなどの外部音源と接続される。信号増幅部２７は、アンプなどの素子を含み、外部音源から入力された信号を増幅して電磁変換部１へ出力する。なお、外部音源の代わりにカバー２１の内部に音源を備えても良い。この場合、例えば、音楽データを記録した市販のメモリーカードを収納する挿入口と、当該音楽データを読み出すＣＰＵなどの読み出し手段とを備える必要がある。
【００２６】
また、増幅した信号を電磁変換部１へ出力するために、信号増幅部２７は、カバー２１の端面のうち隔壁２９の周辺部分に設けられた開口２９２と、電磁変換部１側の隔壁１９（図３参照）と外装体８の隙間部分とを介して、電磁変換部１内のコイル７（図３参照）のリード線と接続されている。しかし、接続方法は、これに限定されるものではなく、端子による接続など、他の方法を用いることもできる。
【００２７】
回路基板２８には、電池収納室２４に収納された電池から電力が供給される。電池収納室２４には、上記の蓋２３を開放することで電池を入れることができる。なお、電池の代わりに、一般のコンセントからケーブルを通して外部から電力を供給するようにしてもよい。
【００２８】
隔壁２９は、鉄や真鍮などの材料で形成され略円板形状をなし、電磁変換部１側の隔壁１９と対向するように配置されており、カバー２１の内部空間を電磁変換部１から隔てるようにカバー２１に固定されている。
【００２９】
このような構成によれば、音響の発生に必要な信号増幅部２７などの構成を効率的に配置することができるため、音響放射装置用電磁変換装置の小型化が可能となる。
【００３０】
次に電磁変換部１の詳細について述べる。図３に、把手２と接合された状態の電磁変換部１の断面を示す。電磁変換部１は、外装体８と、コイル７と、超磁歪素子１５１，１５２と、伸縮伝達部材１１と、第１の永久磁石１４と、第２の永久磁石１７と、隔壁１９とを含む。さらに、電磁変換部１は、与圧部材１２と、第１の磁性ヨーク１３と、第２の磁性ヨーク１８と、第３の永久磁石１６と、ボビン６とを含む。
【００３１】
外装体８は、内部空間を有しており、コイル７、超磁歪素子１５１，１５２、伸縮伝達部材１１、第１〜３の永久磁石１４，１７，１６、第１及び第２の磁性ヨーク１３，１８、与圧部材１２、ボビン６が、収納されている。よって、構成部品の全体は外装体８によって保護される。
【００３２】
外装体８は、磁性材料、非磁性導電材料、セラミック又はプラスチック材料の何れによって構成してもよい。外装体８を、磁性材料によって構成した場合は、リーケージフラックスが減り、磁気効率が上がる。導電性のある磁性材料、例えば金属磁性材料によって構成した場合は、高いシールド作用が得られるが、周波数特性の劣化や渦電流による発熱の問題を生じることがある。非磁性導電材料によって構成した場合は、渦電流損の問題は依然として残る。セラミック又はプラスチック材料で構成した場合は、発熱の問題は生じないが、リーケージフラックスが増え、磁気効率が低下する。従って、外装体８の構成材料は、上述した長所と短所とを比較考量して、適宜選定する必要がある。
【００３３】
外装体８には、先端部に先端側開口８１が、一方、後端部に後端側開口８２が設けられている。後端側開口８２には、隔壁１９が外装体８の内部空間を把手２から隔てるように固定されている。固定手段としては接着剤などを使用することができる。また、先端側開口８１からは伸縮伝達部材１１が突出している。
【００３４】
超磁歪素子１５１，１５２は、第１端１５２１と第２端１５１１とを有し、第１端１５２１のある先端側超磁歪素子１５２と、第２端１５１１のある後端側超磁歪素子１５１とに分かれている。隔壁１９は、第２の磁性ヨーク１８と第２の永久磁石１７とを介して、超磁歪素子１５１の第２端１５１１に連なっている。このため、電磁変換部１が外部振動体に押し付けられた状態で超磁歪素子１５１，１５２が伸縮振動したとき、第２端１５１１の軸方向（図中一点鎖線参照）の位置は変位せず、第１端１５２１の軸方向の位置が変位する。
【００３５】
また、先端側超磁歪素子１５２と後端側超磁歪素子１５１の間には第３の永久磁石１６が設けられている。これは、超磁歪素子１５１，１５２の内部におけるバイアス磁界の分布を均一化し、音響歪を低減するためである。また、２本の超磁歪素子１５１，１５２を直列に並べて使用するから１本の超磁歪素子の長さが短くなり、これにより超磁歪素子の折損事故を回避するという目的もある。
【００３６】
超磁歪素子１５の周囲には、ボビン６及びコイル７が配置されている。コイル７は、信号増幅部２７から入力された信号によって励振され、この励振に基づいて、超磁歪素子１５に交番磁界を印加するものである。この交番磁界によって、超磁歪素子１５は、軸方向に伸縮駆動される。
【００３７】
コイル７は、ボビン６の巻線スペースに巻かれている。巻き方は、任意でよいが、分割巻きでよい結果が得られている。分割巻きとしては、はじめに、つば部６１−６２間の巻線スペースに、コイル巻き厚の半分まで巻き、次につば部６２−６３間の巻線スペースに移り、同様にコイル巻き厚の半分まで巻く作業を繰り返して完成させる方法を採用できる。分割巻きの方法は、巻線スペース及び巻き厚を更に細かく分割する方法であってもよい。コイル７を分割巻きすることにより、音に張りがでて、抜けるようなよい音になる。
【００３８】
ボビン６の筒状部６４の内部には超磁歪素子１５１，１５２及び第３の永久磁石１６が挿入されている。超磁歪素子１５１，１５２は、この筒状部６４にあわせて、例えば、Ｔｂ０．３４−Ｄｙ０．６６−Ｆｅ１．９０を中心組成とする材料等を用い円柱状に形成される。
【００３９】
第１の永久磁石１４及び第２の永久磁石１７は、超磁歪素子１５１，１５２に磁気バイアスを印加するものである。第１の永久磁石１４は、超磁歪素子１５２の第１端側１５２１に配置され、一方、第２の永久磁石１７は、超磁歪素子１５１の第１端側１５１１に配置されている。第１の永久磁石１４及び第２の永久磁石１７の全体表面磁束は、互いに異ならせるほうが望ましい。この構成によれば、音響歪が少なくなり、音質が良好になるからである。
【００４０】
第１及び第２の磁性ヨーク１３，１８は、第１及び第２の永久磁石１４，１７にそれぞれ隣接して配置されている。第１及び第２の磁性ヨーク１３，１８は、フェライトや鉄等で構成され、コイル磁束のリーケージを小さくして、音量を増大させるとともに、音響歪を小さくすることができる。
【００４１】
伸縮伝達部材１１は、一端側が、第１の永久磁石１４と第１の磁性ヨーク１３と与圧部材１２とを介して、先端側超磁歪素子１５２の第１端１５２１に連なり、他端側が先端側開口８１を通して外部に露出している。伸縮振動を伝達するため、伸縮伝達部材１１の材質は硬いほうが望ましく、鉄、真鍮、あるいは硬質のプラスチック等で構成される。
【００４２】
図４に伸縮伝達部材１１と与圧部材１２と第１の磁性ヨーク１３を示す。伸縮伝達部材１１は、略円板形状をなし、周囲に鍔部１１１が設けられている。伸縮伝達部材１１の後端側には、断面が円形状の凹部１１２が形成されている。
【００４３】
与圧部材１２は、略円柱形状であって、凹部１１２よりも小さい径を有し、高さが凹部１１２より高い。よって、与圧部材１２は、凹部１１２から軸方向に突出した状態で凹部１１２に収まる。
【００４４】
また、与圧部材１２は、シリコンゴムなどの弾性材料で構成され、伸縮伝達部材１１を、外装体８の先端部の方向へ付勢するとともに、第１の磁性ヨーク１３と第１の永久磁石１４などを介して、超磁歪素子１５１，１５２を隔壁１９の方向へ付勢する。与圧部材１２により付勢された伸縮伝達部材１１は、鍔部１１１が先端側開口８１の縁と当接することで軸方向における位置決めがなされる。
【００４５】
さらに、第１の磁性ヨーク１３は、略円柱形状であって、凹部１１２よりも大きな径を有する。このため、伸縮伝達部材１１を外部振動体に押し付けていないとき、与圧部材１２によって伸縮伝達部材１１の鍔部１１１と第１の磁性ヨーク１３の間には隙間が生じている。この隙間は超磁歪素子１５１，１５２の最大伸長分の長さよりも長いために、振動している第１の磁性ヨーク１３が伸縮伝達部材１１と接触することがない。
【００４６】
電磁変換部１は、その隔壁１９を把手２側の隔壁２９に対向させた状態で緩衝部材３を介して把手２と接合されている。図５に、電磁変換部１側の隔壁１９と緩衝部材３と把手２側の隔壁２９を示す。
【００４７】
隔壁１９は、鉄や真鍮などの材料で形成され、略半円板形状をなす。隔壁１９を鉄などの磁性体で形成した場合、磁気シールドとして機能する。この場合、互いに吸引しないように、対向する隔壁２９を真鍮などの非磁性体で形成する必要がある。なお、隔壁１９の材料、あるいは形状は、装置の発する音質を左右するから、設計に応じて適宜決定する必要がある。
【００４８】
また、隔壁１９は、略半円板形状であるから外装体８との間に隙間が形成される。上述したように、この隙間からコイル７のリード線が引き出されて、信号増幅部２７に接続される。
【００４９】
緩衝部材３は、円環形状をなし、電磁変換部１側の隔壁１９とほぼ同一の外径を有するとともに、把手２側の隔壁２９よりも大きな内径を有している。さらに、緩衝部材３の厚さは、把手２側の隔壁２９と、それに隣接するプラスチックの突出部分（図３の符号２９１参照）の厚みよりも厚い。なお、緩衝部材３は、図示したような形状に限定されず、例えば、上述したコイル７のリード線を通すため、貫通孔又は切欠を円環の一部に設けた形状、あるいは円環の一部を切断したＣ字形状としてもよい。
【００５０】
本発明の特徴的部分は、把手２が電磁変換部１とは別個の部材として設けられていることに加えて、この緩衝部材３を設けたことにある。すなわち、緩衝部材３は、シリコンゴムなどの有機質の弾性材料、あるいは、これに金属バネなどを組み合わせたもので構成され、さらに上述したような形状及び大きさであるために、電磁変換部１と把手２の間に設けられて電磁変換部１側の隔壁１９と把手２側の隔壁２９との間に隙間を形成する。
【００５１】
この構成によれば、図３のように、電磁変換部１を外部振動体に押し付けていない場合、つまり、音響を発生させていない場合、電磁変換部１側の隔壁１９と把手２側の隔壁２９は、緩衝部材３が隙間を形成しているから、互いに接触しない。また、超磁歪素子１５１，１５２が発する伸縮振動は、把手２と電磁変換部１とが緩衝部材３を介して接合され、さらに緩衝部材３が有機質なので、効果的に吸収される。したがって、伸縮振動が外装体８から把手２に伝達することを好適に抑制することができるから、音漏れを効果的に防止することができる。
【００５２】
さらに、この場合、上述したように、振動している第１の磁性ヨーク１３が伸縮伝達部材１１と接触することがないから、伸縮振動は与圧部材１２によっても吸収され、上記の音漏れの防止効果が向上される。
【００５３】
一方、図６のように、電磁変換部１を外部振動体Ｐに押し付けて音響を発生させる場合、緩衝部材３が圧力により圧縮され、仮に把手２側の隔壁２９と電磁変換部１側の隔壁１９が互いに接触して音漏れが発生しても、上述したように音響によってかき消されるため問題とならない。さらに、緩衝部材３は、弾性材料なので弾性力によって把手２から電磁変換部１へ圧力を伝達するから、伸縮伝達部材１１が外部振動体Ｐにしっかり押し付けられて、好適に音響を発生させることができる。このとき、より効果的に圧力を伝達するために、緩衝部材３が圧縮されて把手２側の隔壁２９と電磁変換部１側の隔壁１９が互いに接触するほうが望ましい。
【００５４】
また、この場合、先端側からの押圧を受けた与圧部材１２が圧縮されることによって、伸縮伝達部材１１が直接的に超磁歪素子１５２の第１端１５２１に連なる、すなわち、振動している第１の磁性ヨーク１３が伸縮伝達部材１１と接触する。このため、伸縮振動が効果的に伸縮伝達部材１１に伝達され、好適な音響の発生に寄与する。
【００５５】
図７は、電磁変換部１を傾けて外部振動体Ｐに押し付けた状態を示す。この場合、与圧部材１２が一方に片寄って圧縮されることで、伸縮伝達部材１１を略水平の姿勢に保ったまま、振動している第１の磁性ヨーク１３と接触させることができる。よって、やはり好適に音響を発生させることができる。なお、わずかな傾きの場合であれば、電磁変換部１は、図６に示した状態を維持したまま傾く。
【００５６】
以上、好ましい実施例を参照して本発明の内容を具体的に説明したが、本発明の基本的技術思想及び教示に基づいて、当業者であれば、種々の変形態様を採り得ることは自明である。よって、各部の形状や材質などは、設計に応じて適宜変更することができる。また、例えば、第１及び第２の磁性ヨーク１３，１８を省いたり、あるいは、超磁歪素子１５１，１５２を分離せずに１つの超磁歪素子で実現してもよい。
【図面の簡単な説明】
【００５７】
【図１】本発明に係る音響放射装置用電磁変換装置の分解時の側面図である。
【図２】音響放射装置用電磁変換装置の側面図である。
【図３】把手と接合された状態の電磁変換部の断面図である。
【図４】伸縮伝達部材と与圧部材と第２の磁性ヨークを示す。
【図５】電磁変換部側の隔壁と緩衝部材と把手側の隔壁を示す。
【図６】電磁変換部を外部振動体に押し付けた状態を示す。
【図７】電磁変換部を傾けて外部振動体に押し付けた状態を示す。
【符号の説明】
【００５８】
１                    電磁変換部
２                    把手
３                    緩衝部材
７                    コイル
１１                  伸縮伝達部材
１２                  与圧部材
１４，１６，１８      永久磁石
１９，２９            隔壁
８                    外装体
２７                  信号増幅部
１５１，１５２        超磁歪素子
【図１】
2009159035.tif 000003
【図２】
2009159035.tif 000004
【図３】
2009159035.tif 000005
【図４】
2009159035.tif 000006
【図５】
2009159035.tif 000007
【図６】
2009159035.tif 000008
【図７】
2009159035.tif 000009